(57)【特許請求の範囲】
【請求項１】
エレベーターの運転モードを設定する運転モード設定部と、
前記エレベーターの運転モードが前記エレベーターのかごに設けられた防犯カメラの汚れを検知するための画像採取モードに設定された場合、画像情報取得条件が成立しているか否かを判定し、前記画像情報取得条件が成立していないときに出力された促進指令に基づいて前記画像情報取得条件が成立するように前記エレベーターが制御された状態において、前記かごの内部が無人である場合における前記防犯カメラの画像の情報を取得する画像情報取得部と、
を備えた監視装置。
【請求項２】
前記画像情報取得部は、前記かごの照明装置が点灯している際に、前記かごの内部が無人である場合における前記防犯カメラの画像の情報を取得する請求項１に記載の監視装置。
【請求項３】
前記画像情報取得部は、前記かごのドアが閉じている際に、前記かごの照明装置が点灯しており、前記かごの内部が無人である場合における前記防犯カメラの画像の情報を取得する請求項１に記載の監視装置。
【請求項４】
前記画像情報取得部は、前記かごが停止している際に、前記かごのドアが閉じており、前記かごの照明装置が点灯しており、前記かごの内部が無人である場合における前記防犯カメラの画像の情報を取得する請求項１に記載の監視装置。
【請求項５】
前記画像情報取得部は、前記かごが予め設定された特定階に停止している際に、前記かごのドアが閉じており、前記かごの照明装置が点灯しており、前記かごの内部が無人である場合における前記防犯カメラの画像の情報を取得する請求項１に記載の監視装置。
【請求項６】
前記エレベーターの運転モードが画像採取モードである際に請求項１から請求項５のいずれか一項に記載された監視装置が前記かごの内部が無人である場合における前記防犯カメラの画像の情報を取得した際に、当該画像の情報に基づいて、前記防犯カメラの汚れ具合を判定する判定部、
を備えた判定装置。
【請求項７】
前記判定部は、前記防犯カメラが汚れておらずに前記かごの内部が無人である場合における前記防犯カメラの基準画像の情報と前記エレベーターの運転モードが画像採取モードである際に前記監視装置が取得した画像の情報との比較結果に基づいて、前記防犯カメラの汚れ具合を判定する請求項６に記載の判定装置。
【請求項８】
前記判定部は、画像の情報を数値化した上で、前記防犯カメラの汚れ具合を判定する請求項６または請求項７に記載の判定装置。
【請求項９】
前記判定部は、前記エレベーターの運転モードが画像採取モードである際に前記監視装置が前記かごの内部が無人の場合における前記防犯カメラの画像の情報を取得した際に、当該画像の情報に基づいて、前記防犯カメラの故障を判定する請求項６から請求項８のいずれか一項に記載の判定装置。
【請求項１０】
前記判定部は、前記防犯カメラの状態の判定結果の情報を外部に送信する請求項６から請求項９のいずれか一項に記載の判定装置。
【請求項１１】
エレベーターの運転モードを設定する運転モード設定部と、
前記エレベーターの運転モードが前記エレベーターのかごに設けられた防犯カメラの汚れを検知するための画像採取モードに設定された場合、画像情報取得条件が成立しているか否かを判定し、前記画像情報取得条件が成立していないときに出力された促進指令に基づいて前記画像情報取得条件が成立するように前記エレベーターが制御された状態において、前記かごの内部が無人である場合における前記防犯カメラの画像の情報を取得する画像情報取得部と、
前記エレベーターの運転モードが画像採取モードである際に前記画像情報取得部が前記かごの内部が無人である場合における前記防犯カメラの画像の情報を取得した際に、当該画像の情報に基づいて、前記防犯カメラの汚れ具合を判定する判定部と、
を備えたエレベーターシステム。
【発明の詳細な説明】
【技術分野】
【０００１】
この発明は、エレベーターの防犯カメラの汚れの検知に用いられる監視装置、判定装置およびエレベーターシステムに関する。
【背景技術】
【０００２】
特許文献１は、録画装置を開示する。当該録画装置によれば、エレベーターの防犯カメラの画像の情報に基づいて当該防犯カメラの汚れを検知することができる。
【先行技術文献】
【特許文献】
【０００３】
【特許文献１】日本特開２０１７−１８３９１６号公報
【発明の概要】
【発明が解決しようとする課題】
【０００４】
しかしながら、特許文献１に記載の録画装置においては、当該防犯カメラの汚れを検知する際に用いられる画像において、かごの内部の利用者の画像が含まれることもある。このため、利用者のプライバシーが確保されないこともある。【０００５】
この発明は、上述の課題を解決するためになされた。この発明の目的は、利用者のプライバシーを確保しつつ、防犯カメラの汚れを検知することができる監視装置、判定装置およびエレベーターシステムを提供することである。
【課題を解決するための手段】
【０００６】
この発明に係るエレベーターの監視装置は、エレベーターの運転モードを設定する運転モード設定部と、前記エレベーターの運転モードが前記エレベーターのかごに設けられた防犯カメラの汚れを検知するための画像採取モードに設定された場合、画像情報取得条件が成立しているか否かを判定し、前記画像情報取得条件が成立していないときに出力された促進指令に基づいて前記画像情報取得条件が成立するように前記エレベーターが制御された状態において、前記かごの内部が無人である場合における前記防犯カメラの画像の情報を取得する画像情報取得部と、を備えた。
【０００７】
この発明に係るエレベーターの判定装置は、前記エレベーターの運転モードが画像採取モードである際に前記監視装置が前記かごの内部が無人である場合における前記防犯カメラの画像の情報を取得した際に、当該画像の情報に基づいて、前記防犯カメラの汚れ具合を判定する判定部、を備えた。【０００８】
この発明に係るエレベーターシステムは、エレベーターの運転モードを設定する運転モード設定部と、前記エレベーターの運転モードが前記エレベーターのかごに設けられた防犯カメラの汚れを検知するための画像採取モードに設定された場合、画像情報取得条件が成立しているか否かを判定し、前記画像情報取得条件が成立していないときに出力された促進指令に基づいて前記画像情報取得条件が成立するように前記エレベーターが制御された状態において、前記かごの内部が無人である場合における前記防犯カメラの画像の情報を取得する画像情報取得部と、前記エレベーターの運転モードが画像採取モードである際に前記画像情報取得部が前記かごの内部が無人である場合における前記防犯カメラの画像の情報を取得した際に、当該画像の情報に基づいて、前記防犯カメラの汚れ具合を判定する判定部と、を備えた。
【発明の効果】
【０００９】
これらの発明によれば、エレベーターの運転モードが画像採取モードの際に、かごの内部が無人である場合における防犯カメラの画像が採取される。このため、利用者のプライバシーを確保しつつ、防犯カメラの汚れを検知することができる。
【図面の簡単な説明】
【００１０】
【図１】実施の形態１におけるエレベーターの監視装置が適用されるエレベーターシステムの構成図である。
【図２】実施の形態１におけるエレベーターの監視装置が適用されるエレベーターシステムのブロック図である。
【図３】実施の形態１におけるエレベーターの監視装置の動作の概要を説明するためのフローチャートである。
【図４】実施の形態１におけるエレベーターの判定装置の動作の概要を説明するためのフローチャートである。
【図５】実施の形態１におけるエレベーターの情報センター装置の動作の概要を説明するためのフローチャートである。
【図６】実施の形態１におけるエレベーターの監視装置のハードウェア構成図である。
【発明を実施するための形態】
【００１１】
この発明を実施するための形態について添付の図面に従って説明する。なお、各図中、同一または相当する部分には同一の符号が付される。当該部分の重複説明は適宜に簡略化ないし省略する。
【００１２】
実施の形態１．
図１は実施の形態１におけるエレベーターの監視装置が適用されるエレベーターシステムの構成図である。
【００１３】
図１のエレベーターシステムにおいて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１４】
巻上機４は、機械室２に設けられる。主ロープ５は、巻上機４に巻き掛けられる。
【００１５】
かご６は、昇降路１の内部に設けられる。かご６は、主ロープ５の一側に吊るされる。釣合おもり７は、昇降路１の内部に設けられる。釣合おもり７は、主ロープ５の他側に吊るされる。
【００１６】
複数の乗場ドア８の各々は、複数の乗場３の各々の出入口に設けられる。かごドア９は、かご６の出入口に設けられる。
【００１７】
照明装置１０は、かご６の天井に設けられる。照明装置１０は、点灯するとかご６の内部に向けて光を発し得るように設けられる。照明装置１０は、エレベーターの停止が所定時間以上継続した際に消灯する。秤装置１１は、かご６に設けられる。秤装置１１は、かご６にかかる荷重を検出し得るように設けられる。防犯カメラ１２は、かご６に設けられる。防犯カメラ１２は、かご６の内部を撮影し得るように設けられる。
【００１８】
例えば、制御装置１３は、機械室２に設けられる。制御装置１３は、巻上機４とかご６の機器とに電気的に接続される。制御装置１３は、エレベーターを全体的に制御し得るように設けられる。
【００１９】
監視装置１４は、機械室２に設けられる。監視装置１４は、制御装置１３に電気的に接続される。監視装置１４は、制御装置１３からの情報に基づいてエレベーターの状態を監視し得るように設けられる。
【００２０】
例えば、判定装置１５は、エレベーターが設けられた建築物から離れた場所に設けられる。例えば、判定装置１５は、エレベーターの保守会社に設けられる。例えば、判定装置１５の機能を、監視装置１４に設けてもよい。
【００２１】
情報センター装置１６は、エレベーターが設けられた建築物から離れた場所に設けられる。例えば、情報センター装置１６は、エレベーターの保守会社に設けられる。情報センター装置１６は、監視装置１４と判定装置１５とからの情報に基づいてエレベーターの状態を把握し得るように設けられる。
【００２２】
次に、図２を用いて、監視装置１４と判定装置１５とを説明する。
図２は実施の形態１におけるエレベーターの監視装置と判定装置とのブロック図である。
【００２３】
図２に示されるように、監視装置１４は、運転モード設定部１４ａと画像情報取得部１４ｂとを備える。
【００２４】
運転モード設定部１４ａは、エレベーターの運転モードを設定する。画像情報取得部１４ｂは、運転モード設定部１４ａがエレベーターの運転モードを防犯カメラ１２の汚れを検知するための画像採取モードに設定したか否かを判定する。
【００２５】
運転モード設定部１４ａがエレベーターの運転モードを遠隔点検時における画像採取モードに設定した場合、画像情報取得部１４ｂは、防犯カメラ１２の汚れを検知するための画像の情報を取得する画像情報取得条件が成立しているか否かを判定する。
【００２６】
例えば、かご６の内部が無人である場合、画像情報取得部１４ｂは、当該画像情報取得条件が成立していると判定する。例えば、かご６の照明装置１０が点灯している際にかご６の内部が無人である場合、画像情報取得部１４ｂは、当該画像情報取得条件が成立していると判定する。例えば、かご６のドアが閉じている際にかご６の照明装置１０が点灯しており、かご６の内部が無人である場合、画像情報取得部１４ｂは、当該画像情報取得条件が成立していると判定する。例えば、かご６が停止している際に、かご６のドアが閉じており、かご６の照明装置１０が点灯しており、かご６の内部が無人である場合、画像情報取得部１４ｂは、当該画像情報取得条件が成立していると判定する。例えば、かご６が予め設定された特定階に停止している際に、かご６のドアが閉じており、かご６の照明装置１０が点灯しており、かご６の内部が無人である場合、画像情報取得部１４ｂは、当該画像情報取得条件が成立していると判定する。
【００２７】
当該画像情報取得条件が成立している場合、画像情報取得部１４ｂは、防犯カメラ１２の画像の情報を取得する。画像情報取得部１４ｂは、当該画像の情報を判定装置１５に送信する。
【００２８】
図２に示されるように、判定装置１５は、判定部１５ａを備える。
【００２９】
判定部１５ａは、監視装置１４からの画像の情報に基づいて防犯カメラ１２の汚れ具合を判定する。
【００３０】
例えば、判定部１５ａは、防犯カメラ１２が汚れておらずに画像情報取得条件が成立した状態、例えばかご６の内部が無人の場合における防犯カメラ１２の基準画像の情報とエレベーターの運転モードが画像採取モードである際に監視装置１４が取得した画像の情報との比較結果に基づいて、防犯カメラ１２の汚れ具合を判定する。この際、判定部１５ａは、画像の情報を数値化した上で、防犯カメラ１２の汚れ具合を判定する。
【００３１】
判定部１５ａは、エレベーターの運転モードが画像採取モードである際に監視装置１４がかご６の内部が無人の場合における防犯カメラ１２の画像の情報を取得した際に、当該画像の情報に基づいて、防犯カメラ１２の故障を判定する。例えば、当該画像の情報の大部分が黒色を示す情報である場合、判定部１５ａは、防犯カメラ１２が故障していると判定する。
【００３２】
次に、図３を用いて、監視装置１４の動作の概要を説明する。
図３は実施の形態１におけるエレベーターの監視装置の動作の概要を説明するためのフローチャートである。
【００３３】
ステップＳ１では、監視装置１４は、現時刻がエレベーターの運転モードを画像採取モードに設定する時間帯であるか否かを判定する。
【００３４】
ステップＳ１で現時刻がエレベーターの運転モードを画像採取モードに設定する時間帯でない場合、監視装置１４は、ステップＳ１の動作を行う。ステップＳ１で現時刻がエレベーターの運転モードを画像採取モードに設定する時間帯である場合、監視装置１４は、ステップＳ２の動作を行う。
【００３５】
ステップＳ２では、監視装置１４は、エレベーターの運転モードを画像採取モードに設定する。画像採取モードの設定において、監視装置１４は、画像情報取得条件の成立を促進するために促進指令を制御装置１３に出力してもよい。例えば、画像採取モードの設定において、上述した画像情報取得条件にかご６の照明装置１０が点灯していることが含まれる場合、監視装置１４は、かご６の照明装置１０が点灯しているか消灯しているかの判定を行う。この判定においてかご６の照明装置１０が消灯していると判定された場合、監視装置１４は、かご６の照明装置１０を点灯させるための促進指令を制御装置１３に出力する。例えば、画像採取モードの設定において、上述した画像情報取得条件にかご６のドアが閉じていることが含まれる場合、監視装置１４は、かご６のドアが閉じているか開いているかの判定を行う。この判定においてかご６のドアが開いていると判定された場合、監視装置１４は、かご６のドアを閉じるための促進指令を制御装置１３に出力する。例えば、画像採取モードの設定において、上述した画像情報取得条件に予め設定された特定階に停止していることが含まれる場合、監視装置１４は、かご６が予め設定された特定階に停止しているか否かの判定を行う。この判定においてかご６が予め設定された特定階に停止していないと判定された場合、監視装置１４はかご６を予め設定された特定階に移動させるための促進指令を制御装置１３に出力する。その後、監視装置１４は、ステップＳ３の動作を行う。ステップＳ３では、監視装置１４は、画像情報取得条件が成立しているか否かを判定する。
【００３６】
ステップＳ３で画像情報取得条件が成立していない場合、監視装置１４は、ステップＳ１の動作を行う。画像情報取得条件が成立しないままステップ１の画像採取モードに設定する時間帯が経過した場合、一旦画像採取モードの設定動作を中止し、例えば翌日の同時間帯に画像採取モードの設定動作を再開するようにしてもよい。また、ステップＳ３で画像情報取得条件が成立していない場合に、監視装置１４は、上述した画像情報取得条件の成立を促進するために促進指令を制御装置１３に出力するようにしてもよい。ステップＳ３で画像情報取得条件が成立している場合、監視装置１４は、ステップＳ４の動作を行う。
【００３７】
ステップＳ４では、監視装置１４は、防犯カメラ１２の画像の情報を取得する。その後、監視装置１４は、ステップＳ５の動作を行う。ステップＳ５では、監視装置１４は、当該画像の情報を判定装置１５に送信する。その後、監視装置１４は、動作を終了する。
【００３８】
次に、図４を用いて、判定装置１５の動作の概要を説明する。
図４は実施の形態１におけるエレベーターの判定装置の動作の概要を説明するためのフローチャートである。
【００３９】
ステップＳ１１では、判定装置１５は、監視装置１４からの画像の情報が受信されたか否かを判定する。ステップＳ１１で監視装置１４からの画像が受信されていない場合、判定装置１５は、ステップＳ１１の動作を行う。ステップＳ１１で監視装置１４からの画像が受信された場合、判定装置１５は、ステップＳ１２の動作を行う。
【００４０】
ステップＳ１２では、判定装置１５は、当該画像の情報に基づいて防犯カメラ１２が故障しているか否かを判定する。
【００４１】
ステップＳ１２で防犯カメラ１２が故障していない場合、判定装置１５は、ステップＳ１３の動作を行う。ステップＳ１３では、判定装置１５は、当該画像の情報に基づいて防犯カメラ１２が汚れているか否かを判定する。
【００４２】
ステップＳ１３で防犯カメラ１２が汚れていない場合、判定装置１５は、ステップＳ１４の動作を行う。ステップＳ１４では、判定装置１５は、防犯カメラ１２が汚れておらずに故障していないことを示す情報を情報センター装置１６に送信する。その後、判定装置１５は、動作を終了する。
【００４３】
ステップＳ１２で防犯カメラ１２が故障している場合、判定装置１５は、ステップＳ１５の動作を行う。ステップＳ１５では、判定装置１５は、防犯カメラ１２が故障していることを示す情報を情報センター装置１６に送信する。その後、判定装置１５は、動作を終了する。
【００４４】
ステップＳ１３で防犯カメラ１２が汚れている場合、判定装置１５は、ステップＳ１６の動作を行う。ステップＳ１６では、判定装置１５は、防犯カメラ１２が汚れていることを示す情報を情報センター装置１６に送信する。その後、判定装置１５は、動作を終了する。
【００４５】
次に、図５を用いて、情報センター装置１６の動作の概要を説明する。
図５は実施の形態１におけるエレベーターの情報センター装置の動作の概要を説明するためのフローチャートである。
【００４６】
ステップＳ２１では、情報センター装置１６は、判定装置１５からの情報が受信されたか否かを判定する。ステップＳ２１で判定装置１５からの情報が受信されていない場合、情報センター装置１６は、ステップＳ２１の動作を行う。ステップＳ２１で判定装置１５からの情報が受信された場合、情報センター装置１６は、ステップＳ２２の動作を行う。
【００４７】
ステップＳ２２では、情報センター装置１６は、当該情報に基づいて防犯カメラ１２が故障しているか否かを判定する。
【００４８】
ステップＳ２２で防犯カメラ１２が故障していない場合、判定装置１５は、ステップＳ２３の動作を行う。ステップＳ２３では、情報センター装置１６は、当該情報に基づいて防犯カメラ１２が汚れているか否かを判定する。
【００４９】
ステップＳ２３で防犯カメラ１２が汚れていない場合、情報センター装置１６は、ステップＳ２４の動作を行う。ステップＳ２４では、情報センター装置１６は、防犯カメラ１２が汚れておらずに故障していないことを示す情報を当該エレベーターの保守履歴として登録する。その後、情報センター装置１６は、動作を終了する。
【００５０】
ステップＳ２２で防犯カメラ１２が故障している場合、情報センター装置１６は、ステップＳ２５の動作を行う。ステップＳ２５では、情報センター装置１６は、防犯カメラ１２が故障していることを示す情報を当該エレベーターの保守履歴として登録する。この際、情報センター装置１６は、当該エレベーターが設けられた建築物付近にいる保守員の携帯端末に防犯カメラ１２が故障していることを示す情報を送信する。その後、情報センター装置１６は、動作を終了する。
【００５１】
ステップＳ２３で防犯カメラ１２が汚れている場合、情報センター装置１６は、ステップＳ２６の動作を行う。ステップＳ２６では、情報センター装置１６は、防犯カメラ１２が汚れていることを示す情報を当該エレベーターの保守履歴として登録する。この際、情報センター装置１６は、当該エレベーターが設けられた建築物付近にいる保守員の携帯端末に防犯カメラ１２が汚れていることを示す情報を送信する。その後、情報センター装置１６は、動作を終了する。
【００５２】
以上で説明した実施の形態１によれば、エレベーターの運転モードが画像採取モードの際に、かご６の内部が無人である場合における防犯カメラ１２の画像が採取される。このため、プライバシーを確保しつつ、防犯カメラ１２の汚れを検知することができる。なお、かご６の内部が無人であるか否かは、秤装置１１の検出結果に基づいて判定すればよい。また、かご呼びが存在しないときにかご６の内部が無人であると判定してもよい。
【００５３】
例えば、監視装置１４は、照明装置１０が点灯している際に、かご６の内部が無人である場合における防犯カメラ１２の画像の情報を取得する。このため、かご６の内部がより明るい状態のときに防犯カメラ１２の画像の情報を取得することができる。その結果、防犯カメラ１２の汚れをより確実に検知することができる。
【００５４】
例えば、監視装置１４は、かご６のドアが閉じている際に、照明装置１０が点灯しており、かご６の内部が無人である場合における防犯カメラ１２の画像の情報を取得する。このため、防犯カメラ１２の画像の情報を取得する際の条件を揃えることができ、かつ、かご６の内部がより明るい状態のときに防犯カメラ１２の画像の情報を取得することができる。その結果、防犯カメラ１２の汚れをより確実に検知することができる。
【００５５】
例えば、監視装置１４は、かご６が停止している際に、かご６のドアが閉じており、照明装置１０が点灯しており、かご６の内部が無人である場合における防犯カメラ１２の画像の情報を取得する。このため、かご６に設けられた防犯窓から入り込む光が変動することを防止でき、防犯カメラ１２の画像の情報を取得する際の条件を揃えることができ、かつ、かご６の内部がより明るい状態のときに防犯カメラ１２の画像の情報を取得することができる。その結果、防犯カメラ１２の汚れをより確実に検知することができる。
【００５６】
例えば、監視装置１４は、かご６が予め設定された特定階に停止している際に、かご６のドアが閉じており、照明装置１０が点灯しており、かご６の内部が無人である場合における防犯カメラ１２の画像の情報を取得する。このため、かご６に設けられた防犯窓から入り込む光が変動することを防止でき、防犯カメラ１２の画像の情報を取得する際の条件を揃えることができ、かつ、かご６の内部がより明るい状態のときに防犯カメラ１２の画像の情報を取得することができる。その結果、防犯カメラ１２の汚れをより確実に検知することができる。
【００５７】
また、判定装置１５は、防犯カメラ１２からの画像の情報に基づいて、防犯カメラ１２の汚れ具合を判定する。このため、プライバシーを確保しつつ、防犯カメラ１２の汚れを検知することができる。
【００５８】
具体的には、判定装置１５は、防犯カメラ１２が汚れておらずにかご６の内部が無人である場合における防犯カメラ１２の基準画像の情報と前記エレベーターの運転モードが画像採取モードである際に監視装置１４が取得した画像の情報との比較結果に基づいて、防犯カメラ１２の汚れ具合を判定する。このため、防犯カメラ１２の汚れをより確実に検知することができる。
【００５９】
また、判定装置１５は、画像の情報を数値化した上で、防犯カメラ１２の汚れ具合を判定する。このため、プライバシーを確実に確保しつつ、防犯カメラ１２の汚れを定量的に検知することができる。
【００６０】
また、判定装置１５は、防犯カメラ１２からの画像の情報に基づいて、防犯カメラ１２の故障を判定する。このため、防犯カメラ１２の汚れ具合と故障とを区別して検知することができる。
【００６１】
また、判定装置１５は、防犯カメラ１２の状態の判定結果の情報を外部に送信する。このため、防犯カメラ１２の状態を保守員等に適切に知らせることができる。その結果、防犯カメラ１２に対して適切な保守作業を行うことができる。
【００６２】
なお、判定装置１５の機能を監視装置１４に隣接して設けてもよい。また、判定装置１５の機能を情報センター装置１６に設けてもよい。この場合も、プライバシーを確保しつつ、防犯カメラ１２の汚れを検知することができる。
【００６３】
また、判定装置１５から防犯カメラ１２の状態の判定結果の情報を保守員の携帯端末に直接送信してもよい。この場合も、防犯カメラ１２に対して適切な保守作業を行うことができる。
【００６４】
なお、実施の形態１の監視装置１４、判定装置１５およびエレベーターシステムを機械室２のないエレベーターに適用してもよい。この場合も、利用者のプライバシーを確保しつつ、防犯カメラ１２の汚れを検知することができる。
【００６５】
次に、図６を用いて、監視装置１４の例を説明する。
図６は実施の形態１におけるエレベーターの監視装置のハードウェア構成図である。
【００６６】
監視装置１４の各機能は、処理回路により実現し得る。例えば、処理回路は、少なくとも１つのプロセッサ１７ａと少なくとも１つのメモリ１７ｂとを備える。例えば、処理回路は、少なくとも１つの専用のハードウェア１８を備える。
【００６７】
処理回路が少なくとも１つのプロセッサ１７ａと少なくとも１つのメモリ１７ｂとを備える場合、監視装置１４の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１７ｂに格納される。少なくとも１つのプロセッサ１７ａは、少なくとも１つのメモリ１７ｂに記憶されたプログラムを読み出して実行することにより、監視装置１４の各機能を実現する。少なくとも１つのプロセッサ１７ａは、中央処理装置、処理装置、演算装置、マイクロプロセッサ、マイクロコンピュータ、ＤＳＰともいう。例えば、少なくとも１つのメモリ１７ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００６８】
処理回路が少なくとも１つの専用のハードウェア１８を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、監視装置１４の各機能は、それぞれ処理回路で実現される。例えば、監視装置１４の各機能は、まとめて処理回路で実現される。
【００６９】
監視装置１４の各機能について、一部を専用のハードウェア１８で実現し、他部をソフトウェアまたはファームウェアで実現してもよい。例えば、運転モード設定部１４ａの機能については専用のハードウェア１８としての処理回路で実現し、運転モード設定部１４ａの機能以外の機能については少なくとも１つのプロセッサ１７ａが少なくとも１つのメモリ１７ｂに格納されたプログラムを読み出して実行することにより実現してもよい。
【００７０】
このように、処理回路は、ハードウェア１８、ソフトウェア、ファームウェア、またはこれらの組み合わせで監視装置１４の各機能を実現する。
【００７１】
図示されないが、制御装置１３の各機能も、監視装置１４の各機能を実現する処理回路と同等の処理回路で実現される。判定装置１５の各機能も、監視装置１４の各機能を実現する処理回路と同等の処理回路で実現される。情報センター装置１６の各機能も、監視装置１４の各機能を実現する処理回路と同等の処理回路で実現される。
【産業上の利用可能性】
【００７２】
以上のように、この発明に係るエレベーターの監視装置、判定装置およびエレベーターシステムは、防犯カメラの汚れ具合を検知するシステムに利用できる。
【符号の説明】
【００７３】
１  昇降路、  ２  機械室、  ３  乗場、  ４  巻上機、  ５  主ロープ、  ６  かご、  ７  釣合おもり、  ８  乗場ドア、  ９  かごドア、  １０  照明装置、  １１  秤装置、  １２  防犯カメラ、  １３  制御装置、  １４  監視装置、  １４ａ  運転モード設定部、  １４ｂ  画像情報取得部、  １５  判定装置、  １５ａ  判定部、  １６  情報センター装置、  １７ａ  プロセッサ、  １７ｂ  メモリ、  １８  ハードウェア
【要約】
利用者のプライバシーを確保しつつ、防犯カメラの汚れを検知することができるエレベーターの監視装置を提供する。エレベーターの監視装置は、エレベーターの運転モードを設定する運転モード設定部と、前記運転モード設定部が前記エレベーターの運転モードを前記エレベーターのかごに設けられた防犯カメラの汚れを検知するための画像採取モードに設定した状態において、前記かごの内部が無人である場合における前記防犯カメラの画像の情報を取得する画像情報取得部と、を備えた。【図１】
0006590125.tif 000002
【図２】
0006590125.tif 000003
【図３】
0006590125.tif 000004
【図４】
0006590125.tif 000005
【図５】
0006590125.tif 000006
【図６】
0006590125.tif 000007